(57)【特許請求の範囲】
【請求項１】
集団検診で撮影されたデジタルな医用画像を取込む画像取込部と、
前記取込み部により得られた画像データを記憶保持する記憶部と、
前記記憶部から所定の画像データを読み出す画像読出部と、
前記画像読出部により得られた画像を表示する画像表示部と、
前記画像表示部に表示する画像の切り替えを行う表示切替部と、
前記表示切替部に対する指示入力を受付ける入力部とを備え、
前記画像表示部は、複数の画像を横一列に並べて表示するとともに、前記表示切替部は、前記入力部で指示された方向へ表示する画像が水平移動するように、表示する画像を切り替えるものであり、
前記入力部は、ロール型フィルム用シャーカステンであることを特徴とする医用画像表示装置。
【請求項２】
集団検診で撮影されたデジタルな医用画像を管理するネットワーク上の画像管理部と、
前記画像管理部から所定の画像データを読み出す画像読出部と、
前記画像読出部により得られた画像を表示する画像表示部と、
前記画像表示部に表示する画像の切り替えを行う表示切替部と、
前記表示切替部に対する指示入力を受付ける入力部とを備え、
前記画像表示部は、複数の画像を横一列に並べて表示するとともに、前記表示切替部は、前記入力部で指示された方向へ表示する画像が水平移動するように、表示する画像を切り替えるものであり、
前記入力部は、ロール型フィルム用シャーカステンであることを特徴とする医用画像表示装置。
【請求項３】
請求項１または請求項２記載の医用画像表示装置において、
更に、前記画像読出部により読み出された画像に付帯されている該画像の識別情報を読み取る画像情報取得部を備え、
前記画像読出部は、前記画像情報取得部により読み取られた識別情報に対応する画像データを前記記憶部または画像管理部から検索して読み出すことで、前記画像表示部に表示中の画像の比較対象となる画像を取得することを特徴とする医用画像表示装置。
【請求項４】
請求項１または請求項２記載の医用画像表示装置において、
前記表示切替部は、前記画像表示部に表示中の画像を前記入力部の操作で指示される方向へ水平移動させつつ、前記画像表示部の端にある画像を消し、前記画像読出部より得られた画像を追加して表示するような処理を連続して行うことを特徴とする医用画像表示装置。
【請求項５】
請求項１または請求項２記載の医用画像表示装置において、
前記表示切替部は、前記画像表示部に対して、前記入力部からの画面レイアウト変更指示に従った画面レイアウト変更処理を行うとともに、前記画像表示部に表示中の画像の比較対象となる画像データの読み出しを前記画像読出部に指示することを特徴とする医用画像表示装置。
【請求項６】
請求項５記載の医用画像表示装置において、
前記表示切替部は、前記入力部の操作に応じて前記画像表示部に画像表示行を追加し、前記画像表示部に表示中の画像の比較対象となる画像を並列に表示するような、画面レイアウト変更処理を行うことを特徴とする医用画像表示装置。
【請求項７】
集団検診で撮影されたデジタルな医用画像を取込む画像取込部と、
前記取込み部により得られた画像データを記憶保持する記憶部と、
前記記憶部から所定の画像データを読み出す画像読出部と、
前記画像読出部により得られた画像を表示する画像表示部と、
前記画像表示部に表示する画像の切り替えを行う表示切替部と、
前記表示切替部に対する指示入力を受付ける入力部とを備え、
前記画像表示部は、複数の画像を横一列に並べて表示するとともに、前記表示切替部は、前記入力部で指示された方向へ表示する画像が水平移動するように、表示する画像を切り替えるものであり、更に、
前記表示切替部は、前記画像表示部に対して、前記入力部からの画面レイアウト変更指示に従った画面レイアウト変更処理を行うとともに、前記画像表示部に表示中の画像の比較対象となる画像データの読み出しを前記画像読出部に指示するものであり、更に、
前記表示切替部は、前記入力部の操作に応じて前記画像表示部の画像表示行を減らし、前記画像表示部に比較対象として表示中の画像を非表示にし、検査日付のみの表示にするような、画面レイアウト変更処理を行うことを特徴とする医用画像表示装置。
【請求項８】
集団検診で撮影されたデジタルな医用画像を管理するネットワーク上の画像管理部と、
前記画像管理部から所定の画像データを読み出す画像読出部と、
前記画像読出部により得られた画像を表示する画像表示部と、
前記画像表示部に表示する画像の切り替えを行う表示切替部と、
前記表示切替部に対する指示入力を受付ける入力部とを備え、
前記画像表示部は、複数の画像を横一列に並べて表示するとともに、前記表示切替部は、前記入力部で指示された方向へ表示する画像が水平移動するように、表示する画像を切り替えるものであり、更に、
前記表示切替部は、前記画像表示部に対して、前記入力部からの画面レイアウト変更指示に従った画面レイアウト変更処理を行うとともに、前記画像表示部に表示中の画像の比較対象となる画像データの読み出しを前記画像読出部に指示するものであり、更に、
前記表示切替部は、前記入力部の操作に応じて前記画像表示部の画像表示行を減らし、前記画像表示部に比較対象として表示中の画像を非表示にし、検査日付のみの表示にするような、画面レイアウト変更処理を行うことを特徴とする医用画像表示装置。
【請求項９】
集団検診で撮影されたデジタルな医用画像を保持するデータベースから所定の画像データを読み出す画像読出ステップと、
前記画像読出ステップにより得られた画像を表示する画像表示ステップと、
ロール型フィルム用シャーカステンを用いて表示する画像の指示入力を受け付ける入力ステップと、
表示する画像の切り替えを行う表示切替ステップと、を備え、
前記画像表示ステップは、複数の画像を横一列に並べて表示するとともに、前記表示切替ステップは、前記入力ステップで指示された方向へ表示する画像が水平移動するように、表示する画像を切り替えることを特徴とする医用画像表示方法。
【請求項１０】
集団検診で撮影されたデジタルな医用画像を保持するデータベースから所定の画像データを読み出す画像読出ステップと、
前記画像読出ステップにより得られた画像を表示する画像表示ステップと、
表示する画像の指示入力を受け付ける入力ステップと、
表示する画像の切り替えを行う表示切替ステップと、を備え、
前記画像表示ステップは、複数の画像を横一列に並べて表示するとともに、前記表示切替ステップは、前記入力ステップで指示された方向へ表示する画像が水平移動するように、表示する画像を切り替えるものであり、更に、
前記表示切替ステップは、前記入力ステップの画面レイアウト変更指示に従った画面レイアウト変更処理を行うとともに、表示中の画像の比較対象となる画像データの読み出しを指示するステップを含み、更に、
前記表示切替ステップは、前記入力ステップの指示入力に応じて画像表示行を減らし、比較対象として表示中の画像を非表示にし、検査日付のみの表示にする画面レイアウト変更処理を行うステップを含むことを特徴とする医用画像表示方法。
【発明の詳細な説明】
【技術分野】
【０００１】
本発明はデジタルな医用画像を読影するための医用画像表示装置および医用画像表示方法に関し、特に健診施設あるいは検診車で撮影された医用画像を表示するための技術に関するものである。
【背景技術】
【０００２】
近年のコンピュータの発展に伴い、医用分野においてもコンピュータ化が浸透してきている。特に画像診断の分野においてはフィルムレス化の動きが活発化しており、画像撮影装置でデジタル的にX線画像を取得し、取得した画像をそのままモニタ上で診断する、いわゆるモニタ診断を行う施設が増加している。このようなデジタルなX線画像等をフィルムとシャーカステンを用いた従来の読影環境に近い状態で表示する方法として、特許文献１に開示されている方法がある。
【０００３】
特許文献１の方法は、シャーカステンとフィルムとの間に、照射光を透過する平面ディスプレイ部を設け、該平面ディスプレイ部にデジタル的な画像を出力することで、フィルム上の画像に当てる光量分布を変化させ、あたかも動的な画像処理を行っているように見せるものである。
【先行技術文献】
【特許文献】
【０００４】
【特許文献１】特開2000-216949号公報
【発明の概要】
【発明が解決しようとする課題】
【０００５】
しかしながら、特許文献１に記載の方法では、結局フィルムを用いることが前提となっており、フィルムレス化を実現できておらず、また病院や診療所などにおける通常サイズのフィルムで撮影される検査画像の読影には対応しているものの、集団検診等で一般に用いられているロール型フィルムでの読影環境は全く考慮されていない。
【０００６】
本発明の目的は、集団検診で撮影されるデジタルな医用画像を従来のロール型フィルムによる読影環境に近い状態で参照できるようにし、さらにデジタル画像の特徴を活かし、過去の検査との比較読影を容易に行えるようにした画像表示装置及び画像表示方法を提供することにある。
【課題を解決するための手段】
【０００７】
上記目的を達成するために、本発明の医用画像表示装置は、以下の様に構成される。即ち、集団検診で撮影されたデジタルな医用画像を取込む画像取込部と、前記取込み部により得られた画像データを記憶保持する記憶部と、前記記憶部から所定の画像データを読み出す画像読出部と、前記画像読出部により得られた画像を表示する画像表示部と、前記画像表示部に表示する画像の切り替えを行う表示切替部と、前記表示切替部に対する指示入力を受付ける入力部とを備え、前記画像表示部は、複数の画像を横一列に並べて表示するとともに、前記表示切替部は、前記入力部で指示された方向へ表示する画像が水平移動するように、表示する画像を切り替えるものであり、前記入力部は、ロール型フィルム用シャーカステンであることを特徴とする。
もしくは、集団検診で撮影されたデジタルな医用画像は、同一端末上ではなく、ネットワーク上の画像管理部にあってもよい。
【０００８】
本発明の医用画像表示装置において、更に、前記画像読出部により読み出された画像に付帯されている該画像の識別情報を読み取る画像情報取得部を備え、前記画像読出部は、前記画像情報取得部により読み取られた識別情報に対応する画像データを前記記憶部または画像管理部から検索して読み出すことで、前記画像表示部に表示中の画像の比較対象となる画像を取得するものでよい。
【０００９】
また、本発明の医用画像表示装置において、前記表示切替部は、前記画像表示部に表示中の画像を前記入力部の操作で指示される方向へ水平移動させつつ、前記画像表示部の端にある画像を消し、前記画像読出部より得られた画像を追加して表示するような処理を連続して行うものでよい。
また、本発明の記載の医用画像表示装置において、前記表示切替部は、前記画像表示部に対して、前記入力部からの画面レイアウト変更指示に従った画面レイアウト変更処理を行うとともに、前記画像表示部に表示中の画像の比較対象となる画像データの読み出しを前記画像読出部に指示するものでよい。
また、本発明の医用画像表示装置において、前記表示切替部は、前記入力部の操作に応じて前記画像表示部に画像表示行を追加し、前記画像表示部に表示中の画像の比較対象となる画像を並列に表示するような、画面レイアウト変更処理を行うものでよい。
本発明の医用画像表示装置の他の一例は、集団検診で撮影されたデジタルな医用画像を取込む画像取込部と、前記取込み部により得られた画像データを記憶保持する記憶部と、前記記憶部から所定の画像データを読み出す画像読出部と、前記画像読出部により得られた画像を表示する画像表示部と、前記画像表示部に表示する画像の切り替えを行う表示切替部と、前記表示切替部に対する指示入力を受付ける入力部とを備え、前記画像表示部は、複数の画像を横一列に並べて表示するとともに、前記表示切替部は、前記入力部で指示された方向へ表示する画像が水平移動するように、表示する画像を切り替えるものであり、更に、前記表示切替部は、前記画像表示部に対して、前記入力部からの画面レイアウト変更指示に従った画面レイアウト変更処理を行うとともに、前記画像表示部に表示中の画像の比較対象となる画像データの読み出しを前記画像読出部に指示するものであり、更に、前記表示切替部は、前記入力部の操作に応じて前記画像表示部の画像表示行を減らし、前記画像表示部に比較対象として表示中の画像を非表示にし、検査日付のみの表示にするような、画面レイアウト変更処理を行うことを特徴とする。
もしくは、集団検診で撮影されたデジタルな医用画像は、同一端末上ではなく、ネットワーク上の画像管理部にあってもよい。
【００１０】
本発明の医用画像表示方法は、集団検診で撮影されたデジタルな医用画像を保持するデータベースから所定の画像データを読み出す画像読出ステップと、前記画像読出ステップにより得られた画像を表示する画像表示ステップと、ロール型フィルム用シャーカステンを用いて表示する画像の指示入力を受け付ける入力ステップと、表示する画像の切り替えを行う表示切替ステップとを備え、前記画像表示ステップは、複数の画像を横一列に並べて表示するとともに、前記表示切替ステップは、前記入力ステップで指示された方向へ表示する画像が水平移動するように、表示する画像を切り替えることを特徴とするものである。
本発明の医用画像表示方法の他の一例は、集団検診で撮影されたデジタルな医用画像を保持するデータベースから所定の画像データを読み出す画像読出ステップと、前記画像読出ステップにより得られた画像を表示する画像表示ステップと、表示する画像の指示入力を受け付ける入力ステップと、表示する画像の切り替えを行う表示切替ステップと、を備え、前記画像表示ステップは、複数の画像を横一列に並べて表示するとともに、前記表示切替ステップは、前記入力ステップで指示された方向へ表示する画像が水平移動するように、表示する画像を切り替えるものであり、更に、前記表示切替ステップは、前記入力ステップの画面レイアウト変更指示に従った画面レイアウト変更処理を行うとともに、表示中の画像の比較対象となる画像データの読み出しを指示するステップを含み、更に、前記表示切替ステップは、前記入力ステップの指示入力に応じて画像表示行を減らし、比較対象として表示中の画像を非表示にし、検査日付のみの表示にする画面レイアウト変更処理を行うステップを含むことを特徴とするものである。
【発明の効果】
【００１１】
本発明の画像表示装置および画像表示方法によれば、集団検診で撮影されたデジタルな医用画像についても従来のロール型のフィルムでの読影環境に近い状態で読影できるようになり、さらに、これまでのフィルム運用では実施されていなかった過去画像との比較読影も容易に実施可能となる。
【図面の簡単な説明】
【００１２】
【図１】本発明の実施例１の医用画像表示装置のシステム構成例を示す図。
【図２】本発明の実施例１の画像表示処理の手順を示すフローチャート。
【図３】本発明の実施例１の画像遷移処理の手順を示すフローチャート。
【図４】本発明の実施例１の画像検索ウィンドウを示す図。
【図５】本発明の実施例１の先頭画像の表示状態を説明するための図。
【図６】本発明の実施例１の最後尾画像の表示状態を説明するための図。
【図７】本発明の実施例１の入力部の操作と画面レイアウト変更処理の関係を説明するための図。
【図８】本発明の実施例１の画面レイアウト変更処理の手順を示すフローチャート。
【図９】本発明の実施例２の医用画像表示装置のシステム構成例を示す図。
【図１０】本発明の実施例２の画像表示処理の手順を示すフローチャート。
【図１１】本発明の他の入力部の操作を示す図。
【発明を実施するための形態】
【００１３】
以下、添付図面に従って本発明に係る医用画像表示装置の好ましい実施形態について説明する。なお、以下の説明及び添付図面において、同一の機能構成を有する構成要素については、同一の符号を付することにより重複説明を省略することにする。
【実施例１】
【００１４】
図１は本発明に係る集団検診画像を表示する医用画像表示装置１００を中心としたシステム構成を示す図である。
医用画像表示装置１００は、医師による画像診断等に利用されるものであり、ＣＰＵ(Central Processing Unit)１０１、主メモリ１０２、記憶装置１０３、表示メモリ１０４、表示装置１０５、外部メディアドライブ１０６、マウス１０７とキーボード１０８およびロール型フィルム用シャーカステン１０９に接続されたコントローラ１１１が、システムバス１１２によって信号送受可能に接続されて構成されている。ここで、「信号送受可能に」とは、電気的、光学的に有線、無線を問わずに、相互にあるいは一方から他方へ信号送受可能な状態を示す。
【００１５】
車載画像撮影装置２０１は、例えば、胸部X線診断装置や胃部X線診断装置など、である。検診車２００は、車載画像撮影装置２０１を乗せて学校や工場などに移動し、検診施設外で画像診断を実施するための車である。
ＣＰＵ１０１は、各構成要素の動作を制御する装置である。ＣＰＵ１０１は、記憶装置１０３に格納されるプログラムやプログラム実行に必要なデータを主メモリ１０２にロードして実行する。
外部メディアドライブ１０６は、車載画像撮影装置２０１により撮影された医用画像情報をフレキシブルディスク、光(磁気)ディスク、USB（Universal Serial Bus）メモリ等の可搬性記録媒体２０２を経由して取り込む装置である。記憶装置１０３は外部メディアドライブ１０６で取り込まれた医用画像情報を格納する装置で、具体的にはハードディスク等である。その他、記憶装置１０３には、ＣＰＵ１０１が実行するプログラムやプログラム実行に必要なデータが格納される。主メモリ１０２は、ＣＰＵ１０１が実行するプログラムや演算処理の途中経過を記憶するものである。
表示メモリ１０４は、液晶ディスプレイやＣＲＴ(Cathode Ray Tube)等の表示装置１０５に表示するための表示データを一時格納するものである。マウス１０７やキーボード１０８およびロール型フィルム用シャーカステン１０９は、操作者が医用画像表示装置１００に対して操作指示を行う入力デバイスである。マウス１０７はトラックパッドやトラックボールなどの他のポインティングデバイスであっても良い。ロール型フィルム用シャーカステン１０９は手動タイプでも電動タイプでも良い。入力デバイスとしては、他に、ジョイスティックでもよい。コントローラ１１１は、マウス１０７やキーボード１０８およびロール型フィルム用のシャーカステン１０９からの入力信号を検出して、各装置から取得した情報をＣＰＵ１０１へ送信する装置である。
【００１６】
図２は、本発明の実施例１の処理の流れを示す図である。また、図３は図２中の画像の画面遷移処理S１０５の詳細手順を示す図である。以下、図２、図３の各ステップについて詳細に説明する。
【００１７】
(ステップS101)
まず操作者（技師や事務員）が医用画像表示装置１００にて図４に示す画像検索画面G５０を表示し、外部メディアドライブ１０６に可搬性記録媒体２０２を装着後、「画像読込み」ボタンG５２をクリックする。「画像読込み」ボタンG５２がクリックされると外部メディアドライブ１０６に装着されている可搬性記録媒体２０２内に保存されている集団検診画像の取り込み処理を開始する。外部メディアドライブ１０６にて読み出された画像データはすべて記憶装置１０３に記録され、医用画像表示装置１００内で管理される。
【００１８】
(ステップS102)
車載画像撮影装置２０１では受付番号のみ入力された状態で撮影されるケースが多いため、医用画像表示装置１００に取り込みを行った直後に受付番号をもとに被検者の情報、例えば被検者ID、被検者氏名、性別、生年月日等、の後付けを行う。まず操作者（技師や事務員）が図４に示す画像検索画面G５０上の画像表示エリアG５５に表示されたリストから付帯情報を付け替える画像をマウス１０７もしくはキーボード１０８で選択し、同じく画像検索画面G５０上にある「付帯情報付け替え」ボタンG５３をクリックする。「付帯情報付け替え」ボタンG５３がクリックされると図示しない検診用端末で別途作成された集団検診受診者情報一覧から選択した画像の受付番号と合致する受診者の情報が画像に付加され、その結果が医用画像表示装置１００内で管理される。
【００１９】
(ステップS103)
読影者（医師等の観察者）は医用画像表示装置１００の画像検索画面G５０を開き、図４に示す画像検索画面G５０上にある検索条件入力エリアG５１にキーボード１０８もしくはマウス１０７を用いて任意の条件を入力し、同じく画像検索画面G５０上にある「検索」ボタンG５４をクリックする。「検索」ボタンG５４がクリックされると、CPU１０１が記憶装置１０３に記録されている画像データの中から画像検索条件エリアG５１に入力された条件に合致する画像を収集し、条件に合致する画像の識別情報（受付番号、被検者ID、被検者氏名、性別、年齢、検査日付、検査種別）を画面検索画面G５０上の画像リスト表示エリアG５５にリストとして表示する。
【００２０】
(ステップS104)
読影者（医師等の観察者）は図４に示す画像検索画面G５０上の画像リスト表示エリアG５５のリストから読影対象の画像をマウス１０７もしくはキーボード１０８で選択し、同じく画像検索画面G５０上にある「画像表示」ボタンG５６をクリックする。「画像表示」ボタンG５６がクリックされると図５に示すように画像リスト表示エリアG５５で選択された画像リストの先頭に該当する先頭画像１０５１から順に表示装置１０５上へ表示する。
【００２１】
(ステップS105)
読影者（医師等の観察者）がロール型フィルム用シャーカステン１０９の手動式レバー１１０Aを回す（あるいは電動式レバー１１０Bを傾ける）と、ロール型フィルムの支持棒が回転する。支持棒が回転すると、その回転の速度と方向の情報がデジタル信号としてコントローラ１１１を介してCPU１０１に伝わり、画像遷移処理が実行される。なお、ジョイスティックを用いる場合は、その操作レバーを左右に移動させる。
【００２２】
画面遷移処理S105ではまず、図３に示すとおり、ロール型フィルムの指示棒の回転方向の左右を判断し（S201）、CPU１０１がコントローラ１１１から左方向の信号を受信した場合は表示装置１０５上の今回画像表示エリア１０５３に表示中の画像に画像検索画面G５０の画像リスト表示エリアG５５で選択した読影対象の最後尾の画像か含まれているかどうかのチェックを行い（S202）、最後尾の画像が含まれていない場合は、今回画像表示エリア１０５３の右端に表示中の画像の次の読影対象の画像を記憶装置１０３から読み出す（S207）。もしも最後尾の画像が今回画像表示エリア１０５３の左端に表示されている場合は表示装置１０５上に警告メッセージを表示し（S204）、画面の遷移は実行しない。それ以外の場合は画面全体を左へ水平移動し（S210）、読み出した画像がある場合はその画像を今回画像表示エリア１０５３の右端に追加して表示する。
【００２３】
同様にCPU１０１がコントローラ１１１から右方向の信号を受信した場合は表示装置１０５上の今回画像表示エリア１０５３に表示中の画像に画像検索画面G５０の画像リスト表示エリアG５５で選択した読影対象の先頭の画像か含まれているかどうかのチェックを行い（S203）、先頭の画像が含まれていない場合は、今回画像表示エリア１０５３の左端に表示中の画像の前の読影対象の画像を記憶装置１０３から読み出す（S208）。もしも先頭の画像が今回画像表示エリア１０５３の右端に表示されている場合は表示装置１０５上に警告メッセージを表示し（S205）、画面の遷移は実行しない。それ以外の場合は画面全体を右へ水平移動し（S211）、読み出した画像がある場合はその画像を今回画像表示エリア１０５３の左端に追加して表示する。
【００２４】
また、ロール型フィルムの支持棒の回転に対する画面の遷移量はあらかじめシステムで設定可能とし、できるだけロールフィルム用シャーカステンでの読影環境に合わせることを可能とする。
【００２５】
(ステップS106)
図7に示すように、読影者（医師等の観察者）が医用画像表示装置１００のキーボード１０８の特定のキー、例えばコントロールキー１０８１を押下した状態でロール型フィルム用シャーカステン１０９の手動式レバー１１０Aを回し（あるいは電動式レバー１１０Bを傾け）、ロール型フィルムの支持棒を回転させると、その回転の速度と方向の情報がデジタル信号としてコントローラ１１１を介してCPU１０１に伝わり、画面レイアウト変更処理が実行される。
【００２６】
画面レイアウト処理における手動式レバー１１０A（あるいは電動式レバー１１０B）の操作と画面レイアウトの変化を図７に示す。図7の画面レイアウト変更処理では、追加して表示する画像は、今回画像の被検者の前回画像，前々回画像，・・・である。これらの画像は、画像に付帯されている識別情報に基づき記憶部などに記憶されている画像を検索して読み出す。今回画像に対応する前回画像等が無い場合は、何も表示されない。図7の上の画面で、過去画像がある場合は、過去画像フラグ１０５６として検査日時を表示している。
【００２７】
画面レイアウト変更処理S106ではまず、図８に示すとおり、ロール型フィルムの支持棒の回転方向の左右を判断し（S301）、CPU１０１がキーボード１０８のコンロトールキー１０８１の信号と共にコントローラ１１１から左方向の信号を受信した場合は表示装置１０５上の画面レイアウトの分割行数ｎがあらかじめシステムで設定された最小値かどうかのチェックを行い（S302）、もしもｎが最小値の場合は、画面レイアウトの変更は実行しない。ｎが最小値よりも大きい場合は、表示装置１０５に表示中の画面レイアウトから過去画像フラグ１０５６と共に最上行を削除し、分割行数ｎを減少させる（S304、S306）。更に、画面レイアウト変更処理後の最上行に表示されている画像に過去画像が存在する場合には過去画像フラグ１０５６を画像の上部に表示する（S309）。
【００２８】
同様にCPU１０１がキーボード１０８のコンロトールキー１０８１の信号と共にコントローラ１１１から右方向の信号を受信した場合は表示装置１０５上の画面レイアウトの分割行数ｎがあらかじめシステムで設定された最大値かどうかのチェックを行い（S303）、もしもｎが最大値の場合は、画面レイアウトの変更は実行しない。ｎが最大値よりも小さい場合は、表示装置１０５に表示中の画面レイアウトから過去画像フラグ１０５６を削除し（S305）、それに該当する過去画像を最上行として追加後、分割行数ｎを増加させる（S305）。また、画面レイアウト変更処理後に再度画面レイアウトの分割行数ｎが最大値と一致するかどうかのチェックを行い（S308）、もしもｎが最大値の場合は、過去画像フラグ１０５６の画面表示は実行しない。ｎが最大値よりも小さく、かつ最上行に表示されている画像に対して過去画像が存在する場合には過去画像フラグ１０５６を画像の上部に表示する（S310）。
【００２９】
また、ロール型フィルムの支持棒の回転に対する画面レイアウトの変化量はあらかじめシステムで設定を可能とする。
【実施例２】
【００３０】
図９は本発明に係る集団検診画像を表示する医用画像表示装置３００を中心としたシステム構成を示す図である。
医用画像表示装置３００は、医師による画像診断等に利用されるものであり、ＣＰＵ(Central Processing Unit)３０１、主メモリ３０２、記憶装置３０３、表示メモリ３０４、表示装置３０５、マウス３０７とキーボード３０８およびロール型フィルム用シャーカステン３０９に接続されたコントローラ３１１、ネットワークアダプタ３１３が、システムバス３１２によって信号送受可能に接続されて構成されている。
【００３１】
医用画像表示装置３００は、ネットワーク４００を介して画像撮影装置５００や医用画像データベース６００と信号送受可能に接続される。ここで、「信号送受可能に」とは、電気的、光学的に有線、無線を問わずに、相互にあるいは一方から他方へ信号送受可能な状態を示す。
医用画像撮影装置５００は、被検体の胸部X線画像等の医用画像情報を取得する装置である。医用画像撮影装置５００は、例えば、胸部X線診断装置や胃部X線診断装置など、である。医用画像データベース６００は、医用画像撮影装置５００よって撮影された医用画像情報を記憶するデータベースシステムである。
その他、上記図１のＣＰＵ１０１、主メモリ１０２、記憶装置１０３、表示メモリ１０４、表示装置１０５、マウス１０７、キーボード１０８、ロール型フィルム用シャーカステン１０９、手動式レバー１１０A、電動式レバー１１０B、コントローラ１１１と、それぞれ同様の機能を有するＣＰＵ３０１、主メモリ３０２、記憶装置３０３、表示メモリ３０４、表示装置３０５、マウス３０７、キーボード３０８、ロール型フィルム用シャーカステン３０９、手動式レバー３１０A、電動式レバー３１０B、コントローラ３１１を備えている。
また、記憶装置３０３は、ＬＡＮ（Local Area Network）等のネットワーク４００を介して医用画像撮影装置５００や医用画像データベース６００から取得した医用画像情報を格納する装置としても利用するものである。
ネットワークアダプタ３１１は、医用画像表示装置１００をＬＡＮ、電話回線、インターネット等のネットワーク４００に接続するためのものである。
【００３２】
図１０は、本発明の実施例２の処理の流れを示す図である。以下、図１０の各ステップについて詳細に説明する。なお、実施例１と同じステップには同じステップ符号を付け、説明を省略する。
(ステップS401)
読影者（医師等の観察者）は医用画像表示装置３００の画像検索画面G５０を開き、図４に示す画像検索画面G５０上にある検索条件入力エリアG５１にキーボード３０８もしくはマウス３０７を用いて任意の条件を入力し、検索先選択欄G57で医用画像データベース６００を指定した状態で同じく画像検索画面G５０上にある「検索」ボタンG５４をクリックする。「検索」ボタンG５４がクリックされると、CPU３０１が医用画像データベース６００へ記録されている画像データの中から画像検索条件エリアG５１に入力された条件に合致する画像を収集し、条件に合致する画像の識別情報（受付番号、被検者ID、被検者氏名、性別、年齢、検査日付、検査種別）を画面検索画面G５０上の画像リスト表示エリアG５５にリストとして表示する。
(ステップS104〜S106)
Ｓ１０４の画像表示処理、Ｓ１０５の画像遷移処理、Ｓ１０６の表示レイアウト変更処理については、実施例１と同様である。
【００３３】
実施例１および実施例２では、入力部として、ロール型フィルム用シャーカステンの操作レバーで説明したが、それに限らずジョイスティックでもよく、また、図11に示すように、画面上に表示されるスライドバー１０５７をマウスでドラッグすることにより、画面を遷移するようにしてもよい。
【００３４】
以上、本発明の実施形態を述べたが、本発明はこれらに限定されるものではない。
【符号の説明】
【００３５】
1００，３００…医用画像表示装置、１０１，３０１…ＣＰＵ、１０２，３０２…主メモリ、１０３，３０３…記憶装置、１０４，３０４…表示メモリ、１０５，３０５…表示装置、１０６…外部メディアドライブ、１０７，３０７…マウス、１０８，３０８…キーボード、１０９，３０９…ロール型フィルム用シャーカステン、１１０A，３１０A…手動式レバー、１１０B，３１０B…電動式レバー、１１１，３１１…コントローラ、１１２，３１２…システムバス、２００…検診車、２０１…車載画像撮影装置、２０２…可搬性記録媒体、３１１…ネットワークアダプタ、４００…ネットワーク、５００…医用画像撮影装置、６００…医用画像データベース
１０５３…今回画像表示エリア、１０５４…前回画像表示エリア、１０５５…前々回画像表示エリア、１０５６…過去画像フラグ、１０５７…スライドバー、１０８１…コントロールキー。
【図１】
0005433401.tif 000002
【図２】
0005433401.tif 000003
【図３】
0005433401.tif 000004
【図４】
0005433401.tif 000005
【図５】
0005433401.tif 000006
【図６】
0005433401.tif 000007
【図７】
0005433401.tif 000008
【図８】
0005433401.tif 000009
【図９】
0005433401.tif 000010
【図１０】
0005433401.tif 000011
【図１１】
0005433401.tif 000012